(57)【特許請求の範囲】
【請求項１】
ベースと該ベースに固定されたカバーとからなるハウジングと、該ハウジング中に回転可能に収容されたディスク媒体と、該ディスク媒体に情報の記録・再生を行うヘッドと、該ディスク媒体を回転するモータアセンブリと、前記ヘッドを前記ディスク媒体の概略半径方向に移動させる固定シャフト回りに回動可能なアクチュエータとを具備したディスク装置において、
前記カバーを樹脂のモールド成形体から構成するとともに、該樹脂製カバーの少なくとも外面に導電処理を施し、
前記樹脂製カバー上に載置され、前記ベースに固定された前記モータアセンブリの上端及び前記ベースに固定された前記固定シャフトの上端にネジ締結されるとともに、該ネジの締結により前記樹脂製カバー上に固定された制振板を備えたことを特徴とするディスク装置。
【請求項２】
前記樹脂製カバーを導電処理するのに代えて、前記樹脂製カバーにカバーと概略同一形状の金属板を被せた後、
該金属板上に前記制振板を固定したことを特徴とする請求項１記載のディスク装置。
【請求項３】
前記樹脂製カバーを導電処理するのに代えて、前記樹脂製カバーにカバーと概略同一形状の表面に導電処理を施したフィルムを被せた後、
該フィルム上に前記制振板を固定したことを特徴とする請求項１記載のディスク装置。
【発明の詳細な説明】
【０００１】
【発明の属する技術分野】
本発明は一般的にディスク装置に関し、特にディスク装置の筐体カバー構造に関する。
【０００２】
一般的にコンピュータ用磁気ディスク装置は、ヘッドクラッシュを防止するため磁気ディスク及びヘッド等はベースとカバーとから構成される筐体（ハウジング）中に密封されており、筐体のカバーを安価に提供することが望まれている。
【０００３】
【従来の技術】
従来の磁気ディスク装置の筐体は、アルミニウム製のベースに同じくアルミニウム製のカバーをネジ止め固定して構成されていた。ベース及びカバーはアルミニウムのダイキャストにより製造される。
【０００４】
このように従来の筐体カバーはアルミニウムのダイキャストで製造されており剛性も強いため、アクチュエータ及びモータアセンブリはベースにネジ止め固定するとともにカバーにもネジ止め固定するが、カバーへの固定に制振板を介しての固定は不要であった。
【０００５】
アルミニウム製カバーは以下の製造工程により製造されていた。
ダイキャスト成形−バリとり−アニール処理−洗浄−防錆塗装−フランジ部の穴あけ加工−切削加工−洗浄。
【０００６】
ベースとの導通アースは、カバーの全面に防錆塗装を施した後、ネジ締めフランジ部を切削加工して金属面を出し、カバーとベースとの導通アースを取っていた。
【０００７】
【発明が解決しようとする課題】
上述した製造工程で示したように、アルミニウム製カバーは二次加工工程が多いため、コストが高くつきまた重量が重いという欠点がある。また、アルミニウム製カバーは変肉設計のため反りが発生し易い。反りが発生した場合には、修正が困難であるという問題がある。
【０００８】
本発明はこのような点に鑑みてなされたものであり、その目的とするところは、安価に製造でき電磁シールド機能を有する樹脂製カバーを具備したディスク装置を提供することである。
【０００９】
【課題を解決するための手段】
本発明によると、ベースと該ベースに固定されたカバーとからなるハウジングと、該ハウジング中に回転可能に収容されたディスク媒体と、該ディスク媒体に情報の記録・再生を行うヘッドと、該ディスク媒体を回転するモータアセンブリと、前記ヘッドを前記ディスク媒体の概略半径方向に移動させる固定シャフト回りに回動可能なアクチュエータとを具備したディスク装置において、前記カバーを樹脂のモールド成形体から構成するとともに、該樹脂製カバーの少なくとも外面に導電処理を施し、前記樹脂製カバー上に載置され、前記ベースに固定された前記モータアセンブリの上端及び前記ベースに固定された前記固定シャフトの上端にネジ締結されるとともに、該ネジの締結により前記樹脂製カバー上に固定された制振板を備えたことを特徴とするディスク装置が提供される。
【００１０】
本発明は、樹脂製カバーの少なくとも外面に導電処理を施しているため、樹脂製カバーに電磁シールド機能を持たせることができる。さらに、制振板にモータアセンブリ及びアクチュエータを固定しているため、制振板の剛性により安定した固定を確保することができる。
【００１１】
樹脂製カバーの少なくとも外面に導電処理を施すのに代えて、樹脂製カバーと概略同一形状の金属板を樹脂製カバーに被せ、その上に制振板を固定するようにしてもよい。同様に、樹脂製カバーと概略同一形状の表面に導電処理を施したフィルムを樹脂製カバーに被せ、その上に制振板を固定するようにしてもよい。
【００１２】
【発明の実施の形態】
先ず、図１乃至図３を参照して、本発明第１実施形態の磁気ディスク装置について説明する。図１は第１実施形態の磁気ディスク装置の断面図であり、図２は第１実施形態に使用するカバーの斜視図を示している。
【００１３】
符号２はアルミニウム製のベース４と樹脂製カバー６とから構成される筐体（ハウジング）と示している。ベース４上にはモータアセンブリ１０が固定されている。
【００１４】
モータアセンブリ１０は、例えばインナーハブモータを含んでおり、このインナーハブモータによってスピンドルハブが固定シャフト周りに回転する構成となっている。
【００１５】
符号８は磁気ディスクを示しており、モータアセンブリ１０により回転される。磁気ディスク８は、例えば上述したスピンドルハブに固定されている。
符号１２はロータリー型アクチュエータを示しており、ベース４に固定されたシャフト１３周りに一対の軸受け１５を介して回転可能に取り付けられている。回転中心から一方向に複数のアクチュエータアーム１４が伸長している。
【００１６】
アクチュエータ１２は回転中心に対してアクチュエータアーム１４と反対側に取り付けられたコイル１７を有しており、図示しない磁気回路とコイル１７とでボイスコイルモータを構成する。
【００１７】
各アクチュエータアーム１４の先端には磁気ディスク８に対して情報の記録・再生を行う磁気ヘッド１６が取り付けられている。図示しないボイスコイルモータを駆動すると、アクチュエータ１２が固定シャフト１３周りに揺動され、磁気ヘッド１６が磁気ディスク８の概略半径方向に移動される。
【００１８】
カバー６は合成樹脂のモールド成形体であり、その表面には図３に示すように導電膜７が形成されている。この導電膜７は、例えば銅、ニッケルを交互にイオンプレーティングして形成されている。好ましくは、導電膜７は３層以上の多層イオンプレーティング処理をして形成される。
【００１９】
多層導電膜７を形成すると、ピンホールが減少して樹脂からのガスの発生を抑制する効果がある。また、イオンプレーティング処理は真空チャンバー内で行うため、イオンプレーティング処理中に樹脂からのガスを前もって放出させる効果がある。
【００２０】
本実施形態では、イオンプレーティングにより導電膜７を形成しているが、無電界メッキにより導電膜７を形成するようにしてもよい。また、樹脂製カバー６の外面全体に導電膜７を形成しているが、これに代えてカバー６の内面全体に導電膜７を形成するようにしてもよい。
【００２１】
本実施形態では、樹脂製カバー６の外面または内面の全体に導電膜７を形成しているため、樹脂製カバー６に電磁シールド効果を持たせることができる。
図２のカバー斜視図に示すように、カバー６は６個（４個のみ図示）のフランジ２６を有しており、各フランジ２６にはボス２８が一体的に形成されている。図３に示すように、ボス２８にネジ３０を挿入し、ネジ３０をベース４に対して締めつけることにより、樹脂製カバー６がベース４に固定される。
【００２２】
樹脂製カバー６の表面にイオンプレーティング等により導電膜７が形成されているため、ネジ３０を介して樹脂製カバー６がアルミニウム製ベース４に接地される。
【００２３】
符号２０は鉄から形成された制振板であり、図１に最もよく示されるように、モータアセンブリ１０の上端部及びアクチュエータ１２の固定シャフト１３の上端部が、それぞれネジ２２，２４により制振板２０に固定されている。符号１８は磁気ディスク装置の外部回路基板を示している。
【００２４】
本実施形態によれば、カバー６は樹脂から形成されているため、その剛性がアルミニウム製のカバーより多少劣るが、制振板２０にモータアセンブリ１０及びアクチュエータ１２の上端部を固定しているため、制振板２０の剛性によりモータアセンブリ１０及びアクチュエータ１２の安定した固定を確保することができる。
【００２５】
図４を参照すると、本発明第２実施形態の磁気ディスク装置の筐体部分が示されている。第１実施形態と実質上同一構成部分については同一符号を付してある。
【００２６】
符号３４は内部実装部を示しており、第１実施形態と同様な磁気ディスク８、モータアセンブリ１０及びアクチュエータ１２が実装されているが、それらの図示が省略されている。
【００２７】
本実施形態の筐体２′は、アルミニウム製のベース４に樹脂製のカバー６を被せ、さらに樹脂製カバー６と概略同一形状に切断した鉄板等の金属板３２を樹脂製カバー６の上に被せ、ネジ３０で樹脂製カバー６及び金属板３０を共締めしてベース４に固定して構成されている。
【００２８】
さらに、図示は省略したが、第１実施形態と同様な制振板２０を金属板３２上に載置し、この制振板にモータアセンブリ１０及びアクチュエータ１２の上端部を固定するのが望ましい。
【００２９】
第２実施形態の変形例として、金属板３２に代えて表面にメッキ又はイオンプレーティング等により導電処理したフィルムを樹脂製カバー６の全面を覆うように被せてもよい。この場合には、ネジ３０で樹脂製カバー６とフィルムを共締めすることによりベース４に固定する。
【００３０】
【発明の効果】
本発明によると、少なくとも外面を導電処理した樹脂製カバーに制振板を取り付け、この制振板にモータアセンブリ及びアクチュエータの上端部を固定するようにしたので、樹脂製カバーを採用した場合にも十分な電磁シールド機能を発揮することができるとともに、制振板の剛性によりモータアセンブリ及びアクチュエータの安定した固定を確保することができる。
【００３１】
樹脂製カバーの表面を導電処理する構成に代えて、カバーに金属板または導電処理したフィルムを被せるようにしても、同様な電磁シールド機能を達成することができる。
【図面の簡単な説明】
【図１】本発明第１実施形態の断面図である。
【図２】第１実施形態のカバー斜視図である。
【図３】カバーのベースへの固定部断面図である。
【図４】本発明第２実施形態の断面図である。
【符号の説明】
２    筐体
４    ベース
６    樹脂製カバー
７    導電膜
８    磁気ディスク
１０    モータアセンブリ
１２    アクチュエータ
１６    磁気ヘッド
２０    制振板
３２    金属板
【図１】
0003710576.tif 000002
【図２】
0003710576.tif 000003
【図３】
0003710576.tif 000004
【図４】
0003710576.tif 000005